【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
可変透過率の車両窓であって、前記窓が、
（ａ）非不透明な基材と、
（ｂ）前記基材に付着されたスイッチング材料であって、前記基材を通過する少なくとも一部の光が前記スイッチング材料も通過するように位置決めされている、スイッチング材料と、
（ｃ）前記スイッチング材料に電気的に連結された第１の電極及び第２の電極であって、前記スイッチング材料の透過率が、第１の刺激物への曝露で最小に到達するまで減少し、かつ第２の刺激物の印加に応答して最大に到達するまで増加し、前記第１及び第２の刺激物のうちの少なくとも１つが、前記電極にわたって電圧を印加することを含む、第１の電極及び第２の電極と、
（ｄ）前記電極にわたって異なる電圧を選択的に印加するための電圧印加回路と、
（ｅ）コンピュータ可読媒体と、前記コンピュータ可読媒体及び前記電圧印加回路に通信可能に連結されたプロセッサと、を備え、前記コンピュータ可読媒体が、前記プロセッサによって実行可能な、前記コンピュータ可読媒体上でコード化されたプログラムコードを有し、前記プログラムコードが、前記プロセッサによって実行されると、前記プロセッサに、
（ｉ）前記スイッチング材料を、第１の透過率から、前記スイッチング材料の最大透過率と最小透過率との間の中間透過率まで遷移させ、
（ｉｉ）ある期間にわたって前記スイッチング材料をおよそ前記中間透過率に維持する、窓。
【請求項２】
前記第１の透過率が、前記スイッチング材料の前記最大透過率又は前記最小透過率である、請求項１に記載の窓。
【請求項３】
前記プロセッサが、１００％未満のデューティサイクルを有するパルス幅変調信号を印加して、前記スイッチング材料を前記中間透過率に遷移させ、前記スイッチング材料を前記中間透過率に維持する、請求項１又は２に記載の窓。
【請求項４】
前記プロセッサが、オンのときの非ゼロピーク電圧とオフのときの非ゼロオフ電圧との間で遷移するパルス幅変調信号を印加する、請求項１又は２に記載の窓。
【請求項５】
前記プロセッサが、前記スイッチング材料を前記中間状態に遷移させる第１のパルス幅変調信号と、前記スイッチング材料を前記中間状態に維持する第２のパルス幅変調信号と、を印加し、前記第１のパルス幅変調信号が、前記第２のパルス幅変調信号のデューティサイクルよりも高いデューティサイクルを有する、請求項１又は２に記載の窓。
【請求項６】
前記基材及び前記スイッチング材料を通過した後に前記窓を備える車両の内部に進入した光の少なくとも１つの波長の強度を測定するように位置決めされた内部光センサを更に備え、前記プログラムコードが更に、前記プロセッサに、
（ａ）前記光の少なくとも１つの波長の前記内部光センサからの強度測定値を取得させ、
（ｂ）前記光の少なくとも１つの波長の前記強度が上限強度閾値を超えると、前記スイッチング材料をより暗い中間状態に遷移させ、前記スイッチング材料を前記より暗い中間状態に維持する、請求項１〜５のいずれか一項に記載の窓。
【請求項７】
前記プロセッサが、前記光の少なくとも１つの波長の前記強度が下限強度閾値を下回ると、前記スイッチング材料をより明るい中間状態に遷移させ、前記スイッチング材料を前記より明るい中間状態で維持する、請求項６に記載の窓。
【請求項８】
前記期間中に、前記スイッチング材料の前記透過率が、前記中間透過率の５０％、前記中間透過率の４０％、前記中間透過率の３０％、前記中間透過率の２０％、又は前記中間透過率の１０％以内に維持される、請求項１〜７のいずれか一項に記載の窓。
【請求項９】
前記プロセッサに通信可能に連結され、前記基材及び前記スイッチング材料を通過した後に前記窓を備える車両の内部に進入した光の少なくとも１つの波長の強度を測定するように位置決めされた内部光センサを更に備え、前記光の少なくとも１つの波長が、可視スペクトルの適切なサブセットであり、前記プログラムコードが更に、前記プロセッサに、
（ａ）前記光の少なくとも１つの波長の前記内部光センサからの強度測定値を取得させ、
（ｂ）前記強度測定値に応答して、前記スイッチング材料の前記透過率が増加又は減少するように、前記電極にわたって印加された前記電圧の前記絶対値を増加又は減少させる、請求項１に記載の窓。
【請求項１０】
前記光の少なくとも１つの波長が、波長範囲を含み、前記波長範囲の前記強度測定値が、前記波長範囲の累積強度である、請求項９に記載の窓。
【請求項１１】
前記波長範囲が、連続的である、請求項１０に記載の窓。
【請求項１２】
前記波長範囲が、前記可視光スペクトルのおよそ１０％未満、前記可視光スペクトルのおよそ２０％未満、前記可視光スペクトルのおよそ３０％未満、前記可視光スペクトルのおよそ４０％未満、前記可視光スペクトルのおよそ５０％未満、前記可視光スペクトルのおよそ６０％未満、前記可視光スペクトルのおよそ７０％未満、前記可視光スペクトルのおよそ８０％未満、又は前記可視光スペクトルのおよそ９０％未満である、請求項１０又は１１に記載の窓。
【請求項１３】
前記光の少なくとも１つの波長が、少なくとも２つの異なる波長を含み、前記プロセッサが、前記少なくとも２つの異なる波長の各々についての強度測定値を取得し、前記プロセッサが、
（ａ）前記少なくとも２つの異なる波長の組み合わせから生じる有効色を判定し、
（ｂ）前記有効色が、前記少なくとも２つの異なる波長を含む色空間の適切なサブセットである望ましくない色ゾーンの一部を含むかどうかを判定し、
（ｃ）前記有効色が前記望ましくない色ゾーンの一部を含むかどうかに応答して、前記電圧の前記絶対値を増加又は減少させる、請求項９〜１２のいずれか一項に記載の窓。
【請求項１４】
前記有効色が前記望ましくない色ゾーンの外側にある場合、前記プロセッサが、前記電圧を増加させて前記スイッチング材料を明るくする、請求項１３に記載の窓。
【請求項１５】
前記有効色が前記望ましくない色ゾーンの内側にある場合、前記プロセッサが、前記電圧を減少させて前記スイッチング材料を暗くする、請求項１３又は１４に記載の窓。
【請求項１６】
前記少なくとも２つの異なる波長が、青色光及び緑色光に対応する波長である、請求項１３〜１５のいずれか一項に記載の窓。
【請求項１７】
前記プロセッサに通信可能に連結され、前記スイッチング材料の動作温度を測定するように位置決めされた温度センサを更に備え、前記プロセッサが、前記動作温度を使用して、前記有効色が前記望ましくない色ゾーンの内側にあるかどうかを判定する、請求項１３〜１６のいずれか一項に記載の窓。
【請求項１８】
前記プロセッサに通信可能に連結され、前記スイッチング材料を通過していない前記光の少なくとも１つの波長の強度を測定するように位置決めされた外部光センサを更に備え、前記プロセッサが、
（ａ）前記光の少なくとも１つの波長のどれくらいの割合が、前記基材及び前記スイッチング材料を通って透過するかを判定し、
（ｂ）前記基材及び前記スイッチング材料を通って透過する前記光の少なくとも１つの波長の前記割合を使用して、前記有効色を判定する、請求項１３〜１７のいずれか一項に記載の窓。
【請求項１９】
前記プロセッサが、前記電圧の前記絶対値を増加させて前記スイッチング材料の前記透過率を増加させ、前記電圧の前記絶対値を減少させて前記スイッチング材料の前記透過率を減少させる、請求項９に記載の窓。
【手続補正２】
【補正対象書類名】明細書
【補正対象項目名】０１２１
【補正方法】変更
【補正の内容】
【０１２１】
特定の実施形態を前述の中で説明してきたが、他の実施形態が可能であり、かつ本明細書に含まれることを意図していることを理解されたい。前述の実施形態に対する示されていない修正及び調節が可能であることは、当業者には明らかであろう。
本発明は以下の実施態様を含む。
（１）可変透過率の車両窓であって、前記窓が、
（ａ）非不透明な基材と、
（ｂ）前記基材に付着されたスイッチング材料であって、前記基材を通過する少なくとも一部の光が前記スイッチング材料も通過するように位置決めされている、スイッチング材料と、
（ｃ）前記スイッチング材料に電気的に連結された第１の電極及び第２の電極であって、前記スイッチング材料の透過率が、第１の刺激物への曝露で最小に到達するまで減少し、かつ第２の刺激物の印加に応答して最大に到達するまで増加し、前記第１及び第２の刺激物のうちの少なくとも１つが、前記電極にわたって電圧を印加することを含む、第１の電極及び第２の電極と、
（ｄ）前記電極にわたって異なる電圧を選択的に印加するための電圧印加回路と、
（ｅ）前記基材及び前記スイッチング材料を通過した後に、前記窓を備える車両の内部に進入した光の少なくとも１つの波長の強度を測定するように位置決めされた内部光センサであって、前記光の少なくとも１つの波長が、可視スペクトルの適切なサブセットである、内部光センサと、
（ｆ）コンピュータ可読媒体と、前記コンピュータ可読媒体、前記内部光センサ、及び前記電圧印加回路に通信可能に連結されたプロセッサと、を備え、前記コンピュータ可読媒体が、前記プロセッサによって実行可能な、前記コンピュータ可読媒体上でコード化されたプログラムコードを有し、前記プログラムコードが、前記プロセッサによって実行されると、前記プロセッサに、
（ｉ）前記光の少なくとも１つの波長の前記内部光センサからの強度測定値を取得させ、
（ｉｉ）前記強度測定値に応答して、前記スイッチング材料の前記透過率が増加又は減少するように、前記電極にわたって印加された前記電圧の絶対値を増加又は減少させる、窓。
（２）前記光の少なくとも１つの波長が、波長範囲を含み、前記波長範囲の前記強度測定値が、前記波長範囲の累積強度である、（１）に記載の窓。
（３）前記波長範囲が、連続的である、（２）に記載の窓。
（４）前記波長範囲が、可視光スペクトルのおよそ１０％未満、前記可視光スペクトルのおよそ２０％未満、前記可視光スペクトルのおよそ３０％未満、前記可視光スペクトルのおよそ４０％未満、前記可視光スペクトルのおよそ５０％未満、前記可視光スペクトルのおよそ６０％未満、前記可視光スペクトルのおよそ７０％未満、前記可視光スペクトルのおよそ８０％未満、又は前記可視光スペクトルのおよそ９０％未満である、（２）又は（３）に記載の窓。
（５）前記光の少なくとも１つの波長が、少なくとも２つの異なる波長を含み、前記プロセッサが、前記少なくとも２つの異なる波長の各々についての強度測定値を取得し、前記プロセッサが、
（ａ）前記少なくとも２つの異なる波長の組み合わせから生じる有効色を判定し、
（ｂ）前記有効色が、前記少なくとも２つの異なる波長を含む色空間の適切なサブセットである望ましくない色ゾーンの一部を含むかどうかを判定し、
（ｃ）前記有効色が前記望ましくない色ゾーンの一部を含むかどうかに応答して、前記電圧の前記絶対値を増加又は減少させる、（１）〜（４）のいずれかに記載の窓。
（６）前記有効色が前記望ましくない色ゾーンの外側にある場合、前記プロセッサが、前記電圧を増加させて前記スイッチング材料を明るくする、（５）に記載の窓。
（７）前記有効色が前記望ましくない色ゾーンの内側にある場合、前記プロセッサが、前記電圧を減少させて前記スイッチング材料を暗くする、（５）又は（６）に記載の窓。
（８）前記少なくとも２つの異なる波長が、青色光及び緑色光に対応する波長である、（５）〜（７）のいずれかに記載の窓。
（９）前記プロセッサに通信可能に連結され、前記スイッチング材料の動作温度を測定するように位置決めされた温度センサを更に備え、前記プロセッサが、前記動作温度を使用して、前記有効色が前記望ましくない色ゾーンの内側にあるかどうかを判定する、（５）〜（８）のいずれかに記載の窓。
（１０）前記プロセッサに通信可能に連結され、前記スイッチング材料を通過していない前記光の少なくとも１つの波長の強度を測定するように位置決めされた外部光センサを更に備え、前記プロセッサが、
（ａ）前記光の少なくとも１つの波長のどれくらいの割合が、前記基材及び前記スイッチング材料を通って透過するかを判定し、
（ｂ）前記基材及び前記スイッチング材料を通って透過する前記光の少なくとも１つの波長の前記割合を使用して、前記有効色を判定する、（５）〜（９）のいずれかに記載の窓。
（１１）前記プロセッサが、前記電圧の前記絶対値を増加させて前記スイッチング材料の前記透過率を増加させ、前記電圧の前記絶対値を減少させて前記スイッチング材料の前記透過率を減少させる、（１）に記載の窓。
（１２）前記プログラムコードが更に、前記プロセッサに、
（ａ）前記スイッチング材料を、第１の透過率から、前記スイッチング材料の最大透過率と最小透過率との間の中間透過率まで遷移させ、
（ｂ）ある期間にわたって前記スイッチング材料をおよそ前記中間透過率に維持する、（１）に記載の窓。
（１３）前記第１の透過率が、前記スイッチング材料の前記最大透過率又は前記最小透過率である、（１２）に記載の窓。
（１４）前記プロセッサが、１００％未満のデューティサイクルを有するパルス幅変調信号を印加して、前記スイッチング材料を前記中間透過率に遷移させ、前記スイッチング材料を前記中間透過率に維持する、（１２）又は（１３）に記載の窓。
（１５）前記プロセッサが、オンのときの非ゼロピーク電圧とオフのときの非ゼロオフ電圧との間で遷移するパルス幅変調信号を印加する、（１２）又は（１３）に記載の窓。
（１６）前記プロセッサが、前記スイッチング材料を前記中間状態に遷移させる第１のパルス幅変調信号と、前記スイッチング材料を前記中間状態に維持する第２のパルス幅変調信号と、を印加し、前記第１のパルス幅変調信号が、前記第２のパルス幅変調信号のデューティサイクルよりも高いデューティサイクルを有する、（１２）又は（１３）に記載の窓。
（１７）前記プログラムコードが更に、前記プロセッサに、
（ａ）前記光の少なくとも１つの波長の前記内部光センサからの強度測定値を取得させ、
（ｂ）前記光の少なくとも１つの波長の前記強度が上限強度閾値を超えると、前記スイッチング材料をより暗い中間状態に遷移させ、前記スイッチング材料を前記より暗い中間状態に維持する、（１２）〜（１６）のいずれかに記載の窓。
（１８）前記プロセッサが、前記光の少なくとも１つの波長の前記強度が下限強度閾値を下回ると、前記スイッチング材料をより明るい中間状態に遷移させ、前記スイッチング材料を前記より明るい中間状態に維持する、（１７）に記載の窓。
（１９）前記期間中に、前記スイッチング材料の前記透過率が、前記中間透過率の５０％、前記中間透過率の４０％、前記中間透過率の３０％、前記中間透過率の２０％、又は前記中間透過率の１０％以内に維持される、（１２）〜（１８）のいずれかに記載の窓。
（２０）可変透過率の車両窓であって、前記窓が、
（ａ）非不透明な基材と、
（ｂ）前記基材に付着されたスイッチング材料であって、前記基材を通過する少なくとも一部の光が前記スイッチング材料も通過するように位置決めされている、スイッチング材料と、
（ｃ）前記スイッチング材料に電気的に連結された第１の電極及び第２の電極であって、前記スイッチング材料の透過率が、第１の刺激物への曝露で最小に到達するまで減少し、かつ第２の刺激物の印加に応答して最大に到達するまで増加し、前記第１及び第２の刺激物のうちの少なくとも１つが、前記電極にわたって電圧を印加することを含む、第１の電極及び第２の電極と、
（ｄ）前記電極にわたって異なる電圧を選択的に印加するための電圧印加回路と、
（ｅ）コンピュータ可読媒体と、前記コンピュータ可読媒体及び前記電圧印加回路に通信可能に連結されたプロセッサと、を備え、前記コンピュータ可読媒体が、前記プロセッサによって実行可能な、前記コンピュータ可読媒体上でコード化されたプログラムコードを有し、前記プログラムコードが、前記プロセッサによって実行されると、前記プロセッサに、
（ｉ）前記スイッチング材料を、第１の透過率から、前記スイッチング材料の最大透過率と最小透過率との間の中間透過率まで遷移させ、
（ｉｉ）ある期間にわたって前記スイッチング材料をおよそ前記中間透過率に維持する、窓。
（２１）前記第１の透過率が、前記スイッチング材料の前記最大透過率又は前記最小透過率である、（２０）に記載の窓。
（２２）前記プロセッサが、１００％未満のデューティサイクルを有するパルス幅変調信号を印加して、前記スイッチング材料を前記中間透過率に遷移させ、前記スイッチング材料を前記中間透過率に維持する、（２０）又は（２１）に記載の窓。
（２３）前記プロセッサが、オンのときの非ゼロピーク電圧とオフのときの非ゼロオフ電圧との間で遷移するパルス幅変調信号を印加する、（２０）又は（２１）に記載の窓。
（２４）前記プロセッサが、前記スイッチング材料を前記中間状態に遷移させる第１のパルス幅変調信号と、前記スイッチング材料を前記中間状態に維持する第２のパルス幅変調信号と、を印加し、前記第１のパルス幅変調信号が、前記第２のパルス幅変調信号のデューティサイクルよりも高いデューティサイクルを有する、（２０）又は（２１）に記載の窓。
（２５）前記基材及び前記スイッチング材料を通過した後に前記窓を備える車両の内部に進入した光の少なくとも１つの波長の強度を測定するように位置決めされた内部光センサを更に備え、前記プログラムコードが更に、前記プロセッサに、
（ａ）前記光の少なくとも１つの波長の前記内部光センサからの強度測定値を取得させ、
（ｂ）前記光の少なくとも１つの波長の前記強度が上限強度閾値を超えると、前記スイッチング材料をより暗い中間状態に遷移させ、前記スイッチング材料を前記より暗い中間状態に維持する、（２０）〜（２４）のいずれかに記載の窓。
（２６）前記プロセッサが、前記光の少なくとも１つの波長の前記強度が下限強度閾値を下回ると、前記スイッチング材料をより明るい中間状態に遷移させ、前記スイッチング材料を前記より明るい中間状態で維持する、（２５）に記載の窓。
（２７）前記期間中に、前記スイッチング材料の前記透過率が、前記中間透過率の５０％、前記中間透過率の４０％、前記中間透過率の３０％、前記中間透過率の２０％、又は前記中間透過率の１０％以内に維持される、（２０）〜（２６）のいずれかに記載の窓。
（２８）前記プロセッサに通信可能に連結され、前記基材及び前記スイッチング材料を通過した後に前記窓を備える車両の内部に進入した光の少なくとも１つの波長の強度を測定するように位置決めされた内部光センサを更に備え、前記光の少なくとも１つの波長が、可視スペクトルの適切なサブセットであり、前記プログラムコードが更に、前記プロセッサに、
（ａ）前記光の少なくとも１つの波長の前記内部光センサからの強度測定値を取得させ、
（ｂ）前記強度測定値に応答して、前記スイッチング材料の前記透過率が増加又は減少するように、前記電極にわたって印加された前記電圧の前記絶対値を増加又は減少させる、（２０）に記載の窓。
（２９）前記光の少なくとも１つの波長が、波長範囲を含み、前記波長範囲の前記強度測定値が、前記波長範囲の累積強度である、（２８）に記載の窓。
（３０）前記波長範囲が、連続的である、（２９）に記載の窓。
（３１）前記波長範囲が、前記可視光スペクトルのおよそ１０％未満、前記可視光スペクトルのおよそ２０％未満、前記可視光スペクトルのおよそ３０％未満、前記可視光スペクトルのおよそ４０％未満、前記可視光スペクトルのおよそ５０％未満、前記可視光スペクトルのおよそ６０％未満、前記可視光スペクトルのおよそ７０％未満、前記可視光スペクトルのおよそ８０％未満、又は前記可視光スペクトルのおよそ９０％未満である、（２９）又は（３０）に記載の窓。
（３２）前記光の少なくとも１つの波長が、少なくとも２つの異なる波長を含み、前記プロセッサが、前記少なくとも２つの異なる波長の各々についての強度測定値を取得し、前記プロセッサが、
（ａ）前記少なくとも２つの異なる波長の組み合わせから生じる有効色を判定し、
（ｂ）前記有効色が、前記少なくとも２つの異なる波長を含む色空間の適切なサブセットである望ましくない色ゾーンの一部を含むかどうかを判定し、
（ｃ）前記有効色が前記望ましくない色ゾーンの一部を含むかどうかに応答して、前記電圧の前記絶対値を増加又は減少させる、（２８）〜（３１）のいずれかに記載の窓。
（３３）前記有効色が前記望ましくない色ゾーンの外側にある場合、前記プロセッサが、前記電圧を増加させて前記スイッチング材料を明るくする、（３２）に記載の窓。
（３４）前記有効色が前記望ましくない色ゾーンの内側にある場合、前記プロセッサが、前記電圧を減少させて前記スイッチング材料を暗くする、（３２）又は（３３）に記載の窓。
（３５）前記少なくとも２つの異なる波長が、青色光及び緑色光に対応する波長である、（３２）〜（３４）のいずれかに記載の窓。
（３６）前記プロセッサに通信可能に連結され、前記スイッチング材料の動作温度を測定するように位置決めされた温度センサを更に備え、前記プロセッサが、前記動作温度を使用して、前記有効色が前記望ましくない色ゾーンの内側にあるかどうかを判定する、（３２）〜（３５）のいずれかに記載の窓。
（３７）前記プロセッサに通信可能に連結され、前記スイッチング材料を通過していない前記光の少なくとも１つの波長の強度を測定するように位置決めされた外部光センサを更に備え、前記プロセッサが、
（ａ）前記光の少なくとも１つの波長のどれくらいの割合が、前記基材及び前記スイッチング材料を通って透過するかを判定し、
（ｂ）前記基材及び前記スイッチング材料を通って透過する前記光の少なくとも１つの波長の前記割合を使用して、前記有効色を判定する、（３２）〜（３６）のいずれかに記載の窓。
（３８）前記プロセッサが、前記電圧の前記絶対値を増加させて前記スイッチング材料の前記透過率を増加させ、前記電圧の前記絶対値を減少させて前記スイッチング材料の前記透過率を減少させる、（２８）に記載の窓。
（３９）スイッチング材料を備える可変透過率の車両窓の透過率を変化させる方法であって、前記方法が、
（ａ）前記窓を備える車両の内部で、前記窓を通過した光の少なくとも１つの波長の強度測定値を取得することであって、前記光の少なくとも１つの波長が、前記可視スペクトルの適切なサブセットである、取得することと、
（ｂ）前記強度測定値に応答して、前記スイッチング材料の前記透過率が増加又は減少するように、前記電極にわたって印加された前記電圧の前記絶対値を増加又は減少させることと、を含む、方法。
（４０）前記光の少なくとも１つの波長が、波長範囲を含み、前記波長範囲の前記強度測定値が、前記波長範囲の累積強度である、（３９）に記載の方法。
（４１）前記波長範囲が、連続的である、（４０）に記載の方法。
（４２）前記波長範囲が、前記可視光スペクトルのおよそ１０％未満、前記可視光スペクトルのおよそ２０％未満、前記可視光スペクトルのおよそ３０％未満、前記可視光スペクトルのおよそ４０％未満、前記可視光スペクトルのおよそ５０％未満、前記可視光スペクトルのおよそ６０％未満、前記可視光スペクトルのおよそ７０％未満、前記可視光スペクトルのおよそ８０％未満、又は前記可視光スペクトルのおよそ９０％未満である、（４０）又は（４１）に記載の方法。
（４３）前記光の少なくとも１つの波長が、少なくとも２つの異なる波長を含み、前記強度測定値が、前記少なくとも２つの異なる波長の各々についてのものであり、
（ａ）前記少なくとも２つの異なる波長の組み合わせから生じる有効色を判定することと、
（ｂ）前記有効色が、前記少なくとも２つの異なる波長を含む色空間の適切なサブセットである望ましくない色ゾーンの一部を含むかどうかを判定することと、
（ｃ）前記有効色が前記望ましくない色ゾーンの一部を含むかどうかに応答して、前記電圧の前記絶対値を増加又は減少させることと、を更に含む、（３９）〜（４２）のいずれかに記載の方法。
（４４）前記有効色が前記望ましくない色ゾーンの外側にある場合、前記電圧を増加させて前記スイッチング材料を明るくする、（４３）に記載の方法。
（４５）前記有効色が前記望ましくない色ゾーンの内側にある場合、前記電圧を減少させて前記スイッチング材料を暗くする、（４３）又は（４４）に記載の方法。
（４６）前記少なくとも２つの異なる波長が、青色光及び緑色光に対応する波長である、（４３）〜（４５）のいずれかに記載の方法。
（４７）前記スイッチング材料の動作温度を測定することと、前記動作温度を使用して、前記有効色が前記望ましくない色ゾーンの内側にあるかどうかを判定することと、を更に含む、（４３）〜（４６）のいずれかに記載の方法。
（４８）（ａ）前記スイッチング材料を通過していない前記光の少なくとも１つの波長の強度を測定することと、
（ｂ）前記光の少なくとも１つの波長のどれくらいの割合が、前記基材及び前記スイッチング材料を通って透過するかを判定することと、
（ｃ）前記基材及び前記スイッチング材料を通って透過する前記光の少なくとも１つの波長の前記割合を使用して、前記有効色を判定することと、を更に含む、（４３）〜（４７）のいずれかに記載の方法。
（４９）前記電圧の前記絶対値を増加させて前記スイッチング材料の前記透過率を増加させ、前記電圧の前記絶対値を減少させて前記スイッチング材料の前記透過率を減少させる、（３９）に記載の方法。
（５０）（ａ）前記スイッチング材料を、第１の透過率から、前記スイッチング材料の最大透過率と最小透過率との間の中間透過率まで遷移させることと、
（ｂ）ある期間にわたって前記スイッチング材料をおよそ前記中間透過率に維持することと、を更に含む、（３９）に記載の方法。
（５１）前記第１の透過率が、前記スイッチング材料の前記最大透過率又は前記最小透過率である、（５０）に記載の方法。
（５２）１００％未満のデューティサイクルを有するパルス幅変調信号を印加して、前記スイッチング材料を前記中間透過率に遷移させ、前記スイッチング材料を前記中間透過率に維持する、（５０）又は（５１）に記載の方法。
（５３）オンのときの非ゼロピーク電圧とオフのときの非ゼロオフ電圧との間で遷移するパルス幅変調信号が、前記スイッチング材料に印加される、（５０）又は（５１）に記載の方法。
（５４）前記スイッチング材料を前記中間状態に遷移させるために、第１のパルス幅変調信号が前記スイッチング材料に印加され、前記スイッチング材料を前記中間状態に維持するために、第２のパルス幅変調信号が前記スイッチング材料に印加され、前記第１のパルス幅変調信号が、前記第２のパルス幅変調信号のデューティサイクルよりも高いデューティサイクルを有する、（５０）又は（５１）に記載の方法。
（５５）（ａ）前記光の少なくとも１つの波長の前記内部光センサからの強度測定値を取得することと、
（ｂ）前記光の少なくとも１つの波長の前記強度が上限強度閾値を超えると、前記スイッチング材料をより暗い中間状態に遷移させ、前記スイッチング材料を前記より暗い中間状態に維持することと、を更に含む、（５０）〜（５４）のいずれかに記載の方法。
（５６）前記光の少なくとも１つの波長の前記強度が下限強度閾値を下回ると、前記スイッチング材料をより明るい中間状態に遷移させることと、前記スイッチング材料を前記より明るい中間状態に維持することと、を更に含む、（５５）に記載の方法。
（５７）前記期間中に、前記スイッチング材料の前記透過率が、前記中間透過率の５０％、前記中間透過率の４０％、前記中間透過率の３０％、前記中間透過率の２０％、又は前記中間透過率の１０％以内に維持される、（５０）〜（５６）のいずれかに記載の方法。
（５８）スイッチング材料を備える可変透過率の車両窓の透過率を変化させる方法であって、前記方法が、
（ａ）前記スイッチング材料を、第１の透過率から、前記スイッチング材料の最大透過率と最小透過率との間の中間透過率まで遷移させることと、
（ｂ）ある期間にわたって前記スイッチング材料をおよそ前記中間透過率に維持することと、を含む、方法。
（５９）前記第１の透過率が、前記スイッチング材料の前記最大透過率又は前記最小透過率である、（５８）に記載の方法。
（６０）１００％未満のデューティサイクルを有するパルス幅変調信号を印加して、前記スイッチング材料を前記中間透過率に遷移させ、前記スイッチング材料を前記中間透過率に維持する、（５８）又は（５９）に記載の方法。
（６１）オンのときの非ゼロピーク電圧とオフのときの非ゼロオフ電圧との間で遷移するパルス幅変調信号が、前記スイッチング材料に印加される、（５８）又は（５９）に記載の方法。
（６２）前記スイッチング材料を前記中間状態に遷移させるために、第１のパルス幅変調信号が前記スイッチング材料に印加され、前記スイッチング材料を前記中間状態に維持するために、第２のパルス幅変調信号が前記スイッチング材料に印加され、前記第１のパルス幅変調信号が、前記第２のパルス幅変調信号のデューティサイクルよりも高いデューティサイクルを有する、（５８）又は（５９）に記載の方法。
（６３）（ａ）前記光の少なくとも１つの波長の前記内部光センサからの強度測定値を取得することと、
（ｂ）前記光の少なくとも１つの波長の前記強度が上限強度閾値を超えると、前記スイッチング材料をより暗い中間状態に遷移させ、前記スイッチング材料を前記より暗い中間状態に維持することと、を更に含む、（５８）〜（６２）のいずれかに記載の方法。
（６４）前記光の少なくとも１つの波長の前記強度が下限強度閾値を下回ると、前記スイッチング材料をより明るい中間状態に遷移させることと、前記スイッチング材料を前記より明るい中間状態に維持することと、を更に含む、（６３）に記載の方法。
（６５）前記期間中に、前記スイッチング材料の前記透過率が、前記中間透過率の５０％、前記中間透過率の４０％、前記中間透過率の３０％、前記中間透過率の２０％、又は前記中間透過率の１０％以内に維持される、（５８）〜（６４）のいずれかに記載の方法。
（６６）（ａ）前記窓を備える車両の内部で、前記窓を通過した光の少なくとも１つの波長の強度測定値を取得することであって、前記光の少なくとも１つの波長が、前記可視スペクトルの適切なサブセットである、取得することと、
（ｂ）前記強度測定値に応答して、前記スイッチング材料の前記透過率が増加又は減少するように、前記電極にわたって印加された前記電圧の前記絶対値を増加又は減少させることと、を更に含む、（５８）に記載の方法。
（６７）前記光の少なくとも１つの波長が、波長範囲を含み、前記波長範囲の前記強度測定値が、前記波長範囲の累積強度である、（６６）に記載の方法。
（６８）前記波長範囲が、連続的である、（６７）に記載の方法。
（６９）前記波長範囲が、前記可視光スペクトルのおよそ１０％未満、前記可視光スペクトルのおよそ２０％未満、前記可視光スペクトルのおよそ３０％未満、前記可視光スペクトルのおよそ４０％未満、前記可視光スペクトルのおよそ５０％未満、前記可視光スペクトルのおよそ６０％未満、前記可視光スペクトルのおよそ７０％未満、前記可視光スペクトルのおよそ８０％未満、又は前記可視光スペクトルのおよそ９０％未満である、（６６）又は（６７）に記載の方法。
（７０）前記光の少なくとも１つの波長が、少なくとも２つの異なる波長を含み、前記強度測定値が、前記少なくとも２つの異なる波長の各々についてのものであり、
（ａ）前記少なくとも２つの異なる波長の組み合わせから生じる有効色を判定することと、
（ｂ）前記有効色が、前記少なくとも２つの異なる波長を含む色空間の適切なサブセットである望ましくない色ゾーンの一部を含むかどうかを判定することと、
（ｃ）前記有効色が前記望ましくない色ゾーンの一部を含むかどうかに応答して、前記電圧の前記絶対値を増加又は減少させることと、を更に含む、（６６）〜（６９）のいずれかに記載の方法。
（７１）前記有効色が前記望ましくない色ゾーンの外側にある場合、前記電圧を増加させて前記スイッチング材料を明るくする、（７０）に記載の方法。
（７２）前記有効色が前記望ましくない色ゾーンの内側にある場合、前記電圧を減少させて前記スイッチング材料を暗くする、（７０）又は（７１）に記載の方法。
（７３）前記少なくとも２つの異なる波長が、青色光及び緑色光に対応する波長である、（７０）〜（７２）のいずれかに記載の方法。
（７４）前記スイッチング材料の動作温度を測定することと、前記動作温度を使用して、前記有効色が前記望ましくない色ゾーンの内側にあるかどうかを判定することと、を更に含む、（７０）〜（７３）のいずれかに記載の方法。
（７５）（ａ）前記スイッチング材料を通過していない前記光の少なくとも１つの波長の強度を測定すること、を更に含み、前記プロセッサが、
（ｂ）前記光の少なくとも１つの波長のどれくらいの割合が、前記基材及び前記スイッチング材料を通って透過するか判定し、
（ｃ）前記基材及び前記スイッチング材料を通って透過する前記光の少なくとも１つの波長の前記割合を使用して、前記有効色を判定する、（７０）〜（７４）のいずれかに記載の方法。
（７６）前記電圧の前記絶対値を増加させて前記スイッチング材料の前記透過率を増加させ、前記電圧の前記絶対値を減少させて前記スイッチング材料の前記透過率を減少させる、（６３）に記載の方法。
（７７）非一時的なコンピュータ可読媒体であって、プロセッサによって実行可能であり、かつ前記プロセッサによって実行されると、前記プロセッサに、（３９）〜（７７）のいずれかに記載の方法を実施させる、前記非一時的なコンピュータ可読媒体に記憶されたプログラムコードを有する、非一時的なコンピュータ可読媒体。
（７８）実質的に特許請求の範囲に記載されるとおりの可変透過率の車両窓。